(57)【要約】【課題】ホログラムを、安価なレーザダイオードを用いて、且つ、高い再生データレートで再生するホログラフィックメモリ再生システムを提供する。【解決手段】ホログラフィックメモリ再生システム１０は、各々２次元アレイ状に配置された、ホログラムセル２４からなる記録媒体１２、レンズアレイ１４、レーザダイオード３２からなるレーザダイオードアレイ１７、及び、撮像素子３４を直線状に配置した撮像素子アレイ２０、とを含んでなり、レーザダイオードアレイ１７の任意のレーザダイオード３２を発光させて、コリメートレンズ３０を介して対応するホログラムセル２４を照射し、発生した回折光を、対応する撮像素子３４で受光して再生する。レーザダイオード３２は、一度に４個照射して４個の撮像素子３４で同時に受光することができる。【選択図】図１
2005265976.tif 000002
【特許請求の範囲】
【請求項１】
Ｘ軸方向を行及びＹ軸方向を列として２次元アレイ状に配置された複数のホログラムセルからなり、各ホログラムセルには、Ｚ軸方向から再生用参照光を照射したときにＹ軸方向に回折光が発生するようにホログラムが形成されている記録媒体と、
この記録媒体に対してＺ軸方向に平行に離間して設けられ、前記ホログラムセルに対応して、Ｘ軸方向を行及びＹ軸方向を列として２次元アレイ状に配置された、ホログラムセルと同数のレーザダイオードからなるレーザダイオードアレイを含む再生用参照光発生装置と、
このレーザダイオードアレイと前記記録媒体との間に、これらと平行に設けられ、前記ホログラムセルに対応して、Ｘ軸方向を行及びＹ軸方向を列として２次元アレイ状に配置された、ホログラムセルと同数のコリメートレンズからなり、各コリメートレンズが、対応するレーザダイオードからのレーザ光をコリメート光として、対応するホログラムセルに導くようにされたレンズアレイと、
前記記録媒体におけるホログラムセルの行毎に、回折光の出射側端面に沿ってＸ軸方向に配置された、前記ホログラムセルの行の数と同数の結像レンズからなる結像レンズアレイと、
これらの結像レンズに対応して設けられ、これと同数の撮像素子からなる撮像素子アレイと、
前記レーザダイオードアレイにおけるレーザダイオードの任意の複数個を同時に発光可能に制御する制御装置と、
を有してなるホログラフィックメモリ再生システム。
【請求項２】
請求項１において、
前記制御装置は、前記レーザダイオードアレイにおける各行につき１個のレーザダイオードを、全行同時に発光制御するようにされたことを特徴とするホログラフィックメモリ再生システム。
【請求項３】
Ｚ軸方向を行及びＹ軸方向を列として２次元アレイ状に配置された複数のホログラムセルからなり、各ホログラムセルには、Ｚ軸方向から再生用参照光を照射したときに、同一列の全部のホログラムセルから、Ｙ軸方向に回折光が発生するようにホログラムが形成されている記録媒体と、
この記録媒体に対してＺ軸方向に平行に離間して設けられ、前記ホログラムセルに対応して、Ｙ軸方向の直線アレイ状に配置された、１行のホログラムセルと同数のレーザダイオードからなるレーザダイオードアレイを含む再生用参照光発生装置と、
このレーザダイオードアレイと前記記録媒体との間に、これらと平行に設けられ、前記レーザダイオードに対応して、Ｙ軸方向の直線２次元アレイ状に配置された、１行のホログラムセルと同数のコリメートレンズからなり、各コリメートレンズが、対応するレーザダイオードからのレーザ光をコリメート光として、対応するホログラムセルに導くようにされたレンズアレイと、
前記記録媒体におけるホログラムセルの行毎に、回折光の出射側端面に沿ってＺ軸方向に配置された、前記ホログラムセルの行の数と同数の結像レンズからなる結像レンズアレイと、
これらの結像レンズに対応して設けられ、これと同数の撮像素子からなる撮像素子アレイと、
前記レーザダイオードアレイにおけるレーザダイオードの任意の一つを発光可能に制御する制御装置と、
を有してなるホログラフィックメモリ再生システム。
【請求項４】
請求項１乃至３のいずれかにおいて、前記レーザダイオードアレイを、Ｘ軸方向及びＹ軸方向の少なくとも一方の方向に並進駆動するアクチュエータを設けたことを特徴とするホログラフィックメモリ再生システム。
【請求項５】
Ｘ軸方向を行及びＹ軸方向を列として２次元アレイ状に配置された複数のホログラムセルからなり、各ホログラムセルには、Ｚ軸方向から再生用参照光を照射したときにＹ軸方向に回折光が発生するようにホログラムが形成されている記録媒体と、
この記録媒体に対してＺ軸方向に平行に離間して設けられ、前記ホログラムセルに対応して、Ｘ軸方向を行及びＹ軸方向を列として２次元アレイ状に配置され、且つ、Ｙ軸方向の再生用参照光を、前記対応するホログラムセル方向に反射するＯＮ位置、同方向に反射しないＯＦＦ位置に選択的に制御可能であって、ホログラムセルと同数のマイクロミラーからなるマイクロミラーアレイと、
このマイクロミラーアレイにおけるマイクロミラーの行毎に、各行の端部に沿ってＸ軸方向に配置され、前記マイクロミラーの行数と同数のレーザダイオードからなり、対応する行におけるマイクロミラーに再生用参照光を照射するレーザダイオードアレイを含む再生用参照光発生装置と、
前記マイクロミラーアレイと前記記録媒体との間に、これらと平行に設けられ、前記ホログラムセルに対応して、Ｘ軸方向を行及びＹ軸方向を列として２次元アレイ状に配置された、ホログラムセルと同数のコリメートレンズからなり、各コリメートレンズが、対応するマイクロミラーから反射された再生用参照光を、コリメート光として、対応するホログラムセルに導くようにされたレンズアレイと、
前記記録媒体におけるホログラムセルの行毎に、回折光の出射側端面に沿ってＸ軸方向に配置され、前記ホログラムセルの行の数と同数の結像レンズからなる結像レンズアレイと、
これらの結像レンズに対応して設けられ、これと同数の撮像素子からなる撮像素子アレイと、
前記再生用参照光発生装置におけるレーザダイオードの任意の複数個を同時に発光可能に制御する制御装置と、
を有してなるホログラフィックメモリ再生システム。
【請求項６】
請求項５において、
前記マイクロミラーアレイを、Ｘ軸方向及びＹ軸方向の少なくとも一方の方向に並進駆動するアクチュエータを設けたことを特徴とするホログラフィックメモリ再生システム。
【請求項７】
請求項１乃至６のいずれかにおいて、
前記ホログラムセルには、データが多重記録されていることを特徴とするホログラフィックメモリ再生システム。
【発明の詳細な説明】
【技術分野】
【０００１】
この発明は、ホログラフィックメモリ再生システムに関する。
【背景技術】
【０００２】
大容量のディジタル情報を保存できるストレージ技術の１つとして、ホログラフィックメモリがある。
【０００３】
このホログラフィックメモリは、高速大容量であるという点で優れているが、ホログラフィックメモリのシステムが大型且つ高価となるという問題点がある。
【０００４】
これは、記録時に用いるレーザ光に、可干渉性と波長安定性とが要求されるため、レーザ光源が大型且つ高価になってしまうためである（例えば特許文献１）。
【０００５】
【特許文献１】特開２００２−２０７４１２号公報
【発明の開示】
【発明が解決しようとする課題】
【０００６】
上記のようなホログラフィックメモリのシステムにおいて、レーザ光源が大型且つ高価であることから、これを複数設けることが困難であり、従って、ホログラフィックメモリは、単一の光源からのレーザ光によって、順次照射して、情報を再生することになり、再生データレートが限定されてしまうという問題点があった。
【０００７】
この発明は、上記問題点に鑑みてなされたものであって、安価なレーザダイオードを複数用いて、同時に複数箇所でホログラフィックメモリを照射し、情報を再生できるようにしたホログラフィックメモリ再生システムを提供することを目的とする。
【課題を解決するための手段】
【０００８】
本発明者は、鋭意研究の結果、複数のレーザダイオードをアレイ状に配列して、これを、同様にアレイ状に配列したホログラムセルを同時に照射して、複数の撮像素子から同時に情報を再生できることが分かった。
【０００９】
即ち、以下の本発明により上記目的を達成することができる。
【００１０】
（１）Ｘ軸方向を行及びＹ軸方向を列として２次元アレイ状に配置された複数のホログラムセルからなり、各ホログラムセルには、Ｚ軸方向から再生用参照光を照射したときにＹ軸方向に回折光が発生するようにホログラムが形成されている記録媒体と、この記録媒体に対してＺ軸方向に平行に離間して設けられ、前記ホログラムセルに対応して、Ｘ軸方向を行及びＹ軸方向を列として２次元アレイ状に配置された、ホログラムセルと同数のレーザダイオードからなるレーザダイオードアレイを含む再生用参照光発生装置と、このレーザダイオードアレイと前記記録媒体との間に、これらと平行に設けられ、前記ホログラムセルに対応して、Ｘ軸方向を行及びＹ軸方向を列として２次元アレイ状に配置された、ホログラムセルと同数のコリメートレンズからなり、各コリメートレンズが、対応するレーザダイオードからのレーザ光をコリメート光として、対応するホログラムセルに導くようにされたレンズアレイと、前記記録媒体におけるホログラムセルの行毎に、回折光の出射側端面に沿ってＸ軸方向に配置された、前記ホログラムセルの行の数と同数の結像レンズからなる結像レンズアレイと、これらの結像レンズに対応して設けられ、これと同数の撮像素子からなる撮像素子アレイと、前記レーザダイオードアレイにおけるレーザダイオードの任意の複数個を同時に発光可能に制御する制御装置と、を有してなるホログラフィックメモリ再生システム。
【００１１】
（２）前記制御装置は、前記レーザダイオードアレイにおけるの各行につき１個のレーザダイオードを、全行同時に発光制御するようにされたことを特徴とする（１）に記載のホログラフィックメモリ再生システム。
【００１２】
（３）Ｚ軸方向を行及びＹ軸方向を列として２次元アレイ状に配置された複数のホログラムセルからなり、各ホログラムセルには、Ｚ軸方向から再生用参照光を照射したときに、同一列の全部のホログラムセルから、Ｙ軸方向に回折光が発生するようにホログラムが形成されている記録媒体と、この記録媒体に対してＺ軸方向に平行に離間して設けられ、前記ホログラムセルに対応して、Ｙ軸方向の直線アレイ状に配置された、１行のホログラムセルと同数のレーザダイオードからなるレーザダイオードアレイを含む再生用参照光発生装置と、このレーザダイオードアレイと前記記録媒体との間に、これらと平行に設けられ、前記レーザダイオードに対応して、Ｙ軸方向の直線２次元アレイ状に配置された、１行のホログラムセルと同数のコリメートレンズからなり、各コリメートレンズが、対応するレーザダイオードからのレーザ光をコリメート光として、対応するホログラムセルに導くようにされたレンズアレイと、前記記録媒体におけるホログラムセルの行毎に、回折光の出射側端面に沿ってＺ軸方向に配置された、前記ホログラムセルの行の数と同数の結像レンズからなる結像レンズアレイと、これらの結像レンズに対応して設けられ、これと同数の撮像素子からなる撮像素子アレイと、前記レーザダイオードアレイにおけるレーザダイオードの任意の一つを発光可能に制御する制御装置と、を有してなるホログラフィックメモリ再生システム。
【００１３】
（４）前記レーザダイオードアレイを、Ｘ軸方向及びＹ軸方向の少なくとも一方の方向に並進駆動するアクチュエータを設けたことを特徴とする（１）乃至（３）のいずれかに記載のホログラフィックメモリ再生システム。
【００１４】
（５）Ｘ軸方向を行及びＹ軸方向を列として２次元アレイ状に配置された複数のホログラムセルからなり、各ホログラムセルには、Ｚ軸方向から再生用参照光を照射したときにＹ軸方向に回折光が発生するようにホログラムが形成されている記録媒体と、この記録媒体に対してＺ軸方向に平行に離間して設けられ、前記ホログラムセルに対応して、Ｘ軸方向を行及びＹ軸方向を列として２次元アレイ状に配置され、且つ、Ｙ軸方向の再生用参照光を、前記対応するホログラムセル方向に反射するＯＮ位置、同方向に反射しないＯＦＦ位置に選択的に制御可能であって、ホログラムセルと同数のマイクロミラーからなるマイクロミラーアレイと、このマイクロミラーアレイにおけるマイクロミラーの行毎に、各行の端部に沿ってＸ軸方向に配置され、前記マイクロミラーの行数と同数のレーザダイオードからなり、対応する行におけるマイクロミラーに再生用参照光を照射するレーザダイオードアレイを含む再生用参照光発生装置と、前記マイクロミラーアレイと前記記録媒体との間に、これらと平行に設けられ、前記ホログラムセルに対応して、Ｘ軸方向を行及びＹ軸方向を列として２次元アレイ状に配置された、ホログラムセルと同数のコリメートレンズからなり、各コリメートレンズが、対応するマイクロミラーから反射された再生用参照光を、コリメート光として、対応するホログラムセルに導くようにされたレンズアレイと、前記記録媒体におけるホログラムセルの行毎に、回折光の出射側端面に沿ってＸ軸方向に配置され、前記ホログラムセルの行の数と同数の結像レンズからなる結像レンズアレイと、これらの結像レンズに対応して設けられ、これと同数の撮像素子からなる撮像素子アレイと、前記再生用参照光発生装置におけるレーザダイオードの任意の複数個を同時に発光可能に制御する制御装置と、を有してなるホログラフィックメモリ再生システム。
【００１５】
（６）前記マイクロミラーアレイを、Ｘ軸方向及びＹ軸方向の少なくとも一方の方向に並進駆動するアクチュエータを設けたことを特徴とする（５）に記載のホログラフィックメモリ再生システム。
【００１６】
（７）前記ホログラムセルには、データが多重記録されていることを特徴とする（１）乃至（６）のいずれかに記載のホログラフィックメモリ再生システム。
【発明の効果】
【００１７】
本発明は、安価なレーザダイオードをアレイ状に配置して、同様にアレイ状に配置されたホログラムセルから同時に複数の情報を再生することができ、従って、高価な設備を用いることなく、再生データレートを大幅に向上させることができるという効果を有する。
【発明を実施するための最良の形態】
【００１８】
記録媒体を、Ｘ軸方向を行及びＹ軸方向を列として２次元アレイ状に配置された複数のホログラムセルから構成し、各ホログラムセルには、Ｚ軸方向から再生用参照光を照射したときにＹ軸方向に回折光が発生するようにし、この記録媒体に対して、Ｚ軸方向に平行に離間して設けられ、ホログラムセルに対応して、Ｘ軸方向を行及びＹ軸方向を列として、２次元アレイ状に配置された、ホログラムセルと同数のレーザダイオードからなるレーザダイオードアレイを含む再生用参照光発生装置と、このレーザダイオードアレイと前記記録媒体との間に、これらと平行に設けられ、ホログラムセルに対応してＸ軸方向を行及びＹ軸方向を列として２次元アレイ状に配置されたホログラムセルと同数のコリメートレンズからなり、各コリメートレンズが、対応するレーザダイオードからのレーザ光をコリメート光として、対応するホログラムセルに導くようにされたレンズアレイと、前記記録媒体におけるホログラムセルの行毎に、回折光の出射側端面に沿って、Ｘ軸方向に配置され、ホログラムセルの行の数と同数の結像レンズからなる結像レンズアレイと、これらの結像レンズに対応して設けられ、これと同数の撮像素子からなる撮像素子アレイと、前記再生用参照光発生装置におけるレーザダイオードの任意の複数個を同時に発光可能に制御する制御装置と、を設けて、且つ、前記記録媒体のホログラムは多重記録され、又、再生用参照光発生装置はアクチュエータによりＸ軸方向及びＹ軸方向に一定範囲で並進移動できるようにして、ホログラフィックメモリ再生システムを構成する。
【実施例１】
【００１９】
次に、図１、図２を参照して、本発明の実施例１に係るホログラフィックメモリ再生システム１０について説明する。
【００２０】
このホログラフィックメモリ再生システム１０は、図１に示されるように、記録媒体１２と、レンズアレイ１４と、再生用参照光発生装置１６と、この再生用参照光発生装置１６の任意のレーザダイオード３２を発光制御するための制御装置１８と、前記記録媒体１２から発生する回折光を受光する撮像素子アレイ２０と、該回折光を撮像素子アレイ２０の撮像素子３４に結像させるための結像レンズアレイ２２と、から構成されている。
【００２１】
前記記録媒体１２は図２及び図３に示されるように、Ｘ軸方向を行及びＹ軸方向を列として、Ａ〜Ｄ行、１列〜８列の２次元アレイ状に配置された３２個のホログラムセル２４からなっている。
【００２２】
このホログラムセル２４は、例えば、ＬｉＮｂＯ3等のホトリフラクティブ結晶をそのまま記録材料として用いたものであり、実施例１においては、各ホログラムセル２４は立方体形状とされている。
【００２３】
なお、図４に示され記録媒体１３のように、各ホログラムセル２４に、前記Ｘ軸方向に沿って形成され、且つ、Ｙ軸方向及びＺ軸方向に対し４５°の角度をなす平面状の記録層２５を備えるようにしてもよい。この場合、この記録層２５は、フォトポリマー等の塗布層を用いると良い。
【００２４】
図４において、符号２６は記録層２５を挟み込む基板、２７は各ホログラムセルを接着するための接着層、２８は記録媒体１３全体を覆い、表面の保護あるいは環境露光による劣化を防止するためのＡＲ（無反射）コートをそれぞれ示す。
【００２５】
前記レンズアレイ１４は、前記記録媒体１２と同様に、且つ、記録媒体１２を構成するアレイ状に配列されたホログラムセル２４に対応して、Ｘ軸方向を行及びＹ軸方向を列として、Ａ行〜Ｄ行と１列〜８列の２次元アレイ状に配置された３２個のコリメートレンズ３０から構成されている。
【００２６】
前記再生用参照光発生装置１６は、前記記録媒体１２及びレンズアレイ１４に対応して、Ａ行〜Ｄ行、１列〜８列の２次元アレイ状に配置された３２個のレーザダイオード３２からなるレーザダイオードアレイ１７及びアクチュエータ３６（説明後述）を含んで構成されている。
【００２７】
前記撮像素子アレイ２０は、前記記録媒体１２の行数と同一の数の、図１、図２においてＸ軸方向に配列された４個の撮像素子３４から構成されている。
【００２８】
前記再生用参照光発生装置１６では、前記レーザダイオードアレイ１７が、Ｘ軸方向及びＹ軸方向に、最大でホログラムセル２４のＸ軸方向とＹ軸方向の大きさの範囲で並進可能とされ、前記アクチュエータ３６は、レーザダイオードアレイ１７を、Ｘ軸方向及びＹ軸方向に独立して並進駆動するように設けられている。
【００２９】
又、前記記録媒体１２を構成する各ホログラムセル２４には、ホログラムが角度多重記録されている。
【００３０】
次に、この実施例に係るホログラフィックメモリ再生システム１０によって、ホログラムセル２４に記録された情報を再生する過程について説明する。
【００３１】
制御装置１８は、Ａ行〜Ｄ行の各行毎に１つのレーザダイオード３２、合計４個を同時に発光制御するようにされている。例えばＡ行２列、Ｂ行６列、Ｃ行４列、Ｄ行８列の４個のレーザダイオード３２を同時に発光させることができる。
【００３２】
これらのレーザダイオード３２から発光したレーザ光は、レンズアレイ１４における、対応するのコリメートレンズ３０によって平行光とされ、記録媒体１２の、Ａ行２列、Ｂ行６列、Ｃ行４列、Ｄ行８列の４個のホログラムセル２４にそれぞれ、図１において上方から再生用参照光として入射する。
【００３３】
これらホログラムセル２４においては、レーザダイオード３２からのコリメート光が再生用参照光として入射すると、図１において直角右方向に回折光を発生させる。
【００３４】
この回折光は、Ａ〜Ｄ行において、再生用参照光が入射した位置から右側のホログラムセル２４を通って図１、図２において右方向に出射し、結像レンズアレイ２２の各結像レンズ２３によって、それぞれ、対応する撮像素子３４に結像される。４個の撮像素子３４においては、同時に回折光を受光して、再生信号を出力できることになる。
【００３５】
なお、上記説明では、Ａ行２列、Ｂ行６列、Ｃ行４列、Ｄ行８列のレーザダイオード３２を同時に発光させるようにしたが、本発明はこれに限定されるものでなく、Ａ行〜Ｄ行の各行において、１列〜８列の任意の１つのレーザダイオード３２を発光するようにすれば良い。
【００３６】
ここで、前述のように、前記ホログラムセル２４には、ディジタルデータが多重記録されているが、この多重記録の再生の詳細について、図５を参照して説明する。
【００３７】
図５（Ａ）〜（Ｃ）に示されるように、ホログラムセル２４とコリメートレンズ３０とを、その中心光軸ＣＬを一致させて固定した状態で、図５（Ｂ）に示される位置のレーザダイオード３２を中心光軸ＣＬを基準として、図５（Ａ）に示されるように左方向にΔだけ移動させ、又は、図５（Ｃ）に示されるように右方向にΔだけ移動させると、レーザダイオード３２からの、発散光である再生用参照光はコリメートレンズ３０において、前記横方向のずれ量Δに応じて、コリメートレンズ３０によって屈折され、結果として、図５（Ａ）、（Ｂ）、（Ｃ）のいずれの場合でも、再生用参照光の中心光軸ＣＬは常にホログラムセル２４の中心点を通ることになる。
【００３８】
換言すれば、レーザダイオード３２を図５において横方向に移動させることによって、再生用参照光の入射角度を多段階に設定することができる。
【００３９】
従って、ホログラムセル２４に、予め角度多重記録によりホログラムを形成しておけば、レーザダイオード３２の移動によって再生用参照光の入射角度を変調し、該入射角度に応じて、異なるホログラムから情報を再生することができる。
【００４０】
レーザダイオード３２は、前述のように、３２個が一体となってレーザダイオードアレイ１７を構成しているので、該レーザダイオードアレイ１７を前記アクチュエータ３６によってＸ軸方向及びＹ軸方向の少なくとも一方に駆動することによって、多重記録数だけ異なる情報を再生することができる。
【実施例２】
【００４１】
次に、図６及び図７を参照して、本発明の実施例２に係るホログラフィックメモリ再生システム４０について説明する。
【００４２】
このホログラフィックメモリ再生システム４０は、図１、図２の実施例１に係るホログラフィックメモリ再生システム１０に対して、再生用参照光発生装置４２の構成が相違し、記録媒体１２及びレンズアレイ１４は同一であるので、同一部分には、ホログラフィックメモリ再生システム１０における説明を援用する。
【００４３】
このホログラフィックメモリ再生システム４０の再生用参照光発生装置４２は、前記レンズアレイ１４に対してＺ軸方向に平行に離間して設けられ、前記ホログラムセル２４に対応して、Ｘ軸方向を行及びＹ軸方向を列として２次元アレイ状に配置され、且つ、ホログラムセル２４と同数のマイクロミラー４５からなるマイクロミラーアレイ４４と、このマイクロミラーアレイ４４におけるマイクロミラー４５の行毎に、各行の端部に沿ってＸ軸方向に配置され、前記マイクロミラー４５の行数と同数のレーザダイオード４７からなり、対応する行におけるマイクロミラー４５に再生用参照光を照射するレーザダイオードアレイ４６と、ミラー制御装置４８と、を備えて構成されている。図６の符号４３はビーム拡大用レンズアレイを示す。
【００４４】
前記ミラー制御装置４８は、前記マイクロミラーアレイ４４における各マイクロミラー４５を、独立して、Ｙ軸方向の再生用参照光を前記対応するホログラムセル２４方向に反射するＯＮ位置、同方向に反射しないＯＦＦ位置に選択的に制御可能とされている。
【００４５】
この実施例２においては、マイクロミラーアレイ４４の行毎にレーザダイオード４７が配置され、各行の、いずれか１つの列のマイクロミラー４５を、ＯＮ位置とすることによって、対応する行及び列のホログラムセル２４に再生用参照光を照射することができる。
【００４６】
又、この実施例２においても、実施例１の場合と同様に、ホログラムセル２４の記録を予め角度多重記録としている。従って、前記マイクロミラーアレイ４４を、アクチュエータ４９によってＹ軸方向に変位させることにより、前記角度多重記録されたデータを再生することができる。
【実施例３】
【００４７】
図７に示される実施例３のホログラフィックメモリ再生装置５０は、再生用参照光を球面波としたものであり、前記実施例２のホログラフィックメモリ再生装置４０と比較して、記録媒体５２を構成するホログラムセル５３にはホログラムがシフト多重記録されていて、又、レンズアレイ１４及びビーム拡大用レンズアレイ４３に代えて、リレーレンズアレイ５４及び対物レンズアレイ５６を用いた点において相違する。
【００４８】
更に、マイクロミラーアレイ４４、リレーレンズアレイ５４、対物レンズアレイ５６は、シフト多重用アクチュエータ５８によりＸ軸方向及び／又はＹ軸方向に一体的に並進移動できるようにされている。
【００４９】
他の構成は、ホログラフィックメモリ再生装置４０の構成と同一であるので、同一の構成に、図１及び図４と同一の符号を付することにより説明を省略する。
【００５０】
この実施例３では、再生するホログラムセルの選択過程は、前記実施例２と同様であるが、同一のホログラムセル５３内で、シフト多重用アクチュエータ５８により、前記のように、マイクロミラーアレイ４４等を並進移動させることにより、多重記録されたホログラムを再生することができる。
【実施例４】
【００５１】
次に、図８を参照して、本発明の実施例４に係るホログラフィックメモリ再生システム６０について説明する。
【００５２】
このホログラフィックメモリ再生システム６０は、図８に示されるように、記録媒体６２と、レンズアレイ６４と、再生用参照光発生装置６６と、この再生用参照光発生装置６６の任意のレーザダイオード７５を発光制御するための制御装置６８と、前記記録媒体６２から発生する回折光を受光する撮像素子アレイ７０と、該回折光を撮像素子アレイ７０の撮像素子７１に結像させるための結像レンズアレイ７２と、から構成されている。
【００５３】
前記記録媒体６２は記録媒体１２と同様に、Ｚ軸方向を行及びＹ軸方向を列として、Ａ〜Ｄ行、１列〜８列の２次元アレイ状に配置された３２個のホログラムセル６３からなっている。
【００５４】
このホログラムセル６３は、前記と同様に例えば、ＬｉＮｂＯ3等のホトリフラクティブ結晶をそのまま記録材料として用いたものであるが、実施例１におけるホログラムセル２４と異なり、Ｚ軸方向から再生用参照光を照射したときに、同一列の全部のホログラムセルから、Ｙ軸方向に回折光が発生するようにホログラムが形成されている。
【００５５】
前記レンズアレイ６４は、記録媒体６２を構成するアレイ状に配列されたホログラムセル６３の行に対応して、Ｙ軸方向の直線アレイ状に配置された８個のコリメートレンズ６５から構成されている。
【００５６】
前記再生用参照光発生装置６６は、前記記録媒体６２の行及びレンズアレイ６４に対応して、直線アレイ状に配置された８個のレーザダイオード７５からなるレーザダイオードアレイ７４及びアクチュエータ７６を含んで構成されている。
【００５７】
前記撮像素子アレイ７０は、前記記録媒体６２の行数と同一の数（４個）の、図８においてＺ軸方向に配列してなる撮像素子７１から構成されている。
【００５８】
前記再生用参照光発生装置６６では、前記レーザダイオードアレイ７４が、Ｘ軸方向及びＹ軸方向に、最大でホログラムセル６３のＸ軸方向とＹ軸方向の大きさの範囲で並進可能とされ、前記アクチュエータ７６は、レーザダイオードアレイ７４を、Ｘ軸方向及びＹ軸方向に独立して並進駆動するように設けられている。
【００５９】
前記記録媒体６２を構成する各ホログラムセル６３には、ホログラムが角度多重記録されている。又、前記制御装置６８は、レーザダイオードアレイ７４における１つのレーザダイオード７５を発光制御するようにされている。
【００６０】
次に、この実施例４に係るホログラフィックメモリ再生システム６０によって、ホログラムセル６４に記録された情報を再生する過程について説明する。
【００６１】
前記レーザダイオードアレイ７４における１つのレーザダイオード７５から発光したレーザ光は、レンズアレイ６４における、対応するコリメートレンズ６５によって平行光とされ、記録媒体６２の、１つの列の４個のホログラムセル６３に、図８において上方から、再生用参照光として入射する。
【００６２】
これらホログラムセル６３は、レーザダイオード７２からのコリメート光が再生用参照光として入射すると、図８において直角右方向（Ｙ軸方向）に回折光を発生する。
【００６３】
この回折光は、Ａ〜Ｄ行において、再生用参照光の入射位置から右側のホログラムセル６３を通って、図８において右方向に出射し、結像レンズアレイ７２の各結像レンズ７３によって、それぞれ、対応する撮像素子７１に結像される。４個の撮像素子７１においては、同時に回折光を受光して、再生信号を出力できることになる。
【００６４】
ここで、前述のように、前記ホログラムセル６３には、ディジタルデータが多重記録されていて、この多重記録の再生の詳細については、図５の場合と同様であるが、この実施例４ではレーザダイオードアレイ７４を前記アクチュエータ７６によってＹ軸方向及びＺ軸方向の少なくとも一方に駆動することによって、多重記録数だけ異なる情報を再生することができる。
【００６５】
なお、上記各実施例において、ホログラムセル２４、５３、６３は立方体としたが、本発明はこれに限定されるものでなく、直方体、角錐形状、板状等、どのような形状であってもよい。
【００６６】
更に、前記記録媒体１２、５２、６２、レンズアレイ１４等は、行数が４、列数が８の、計３２個の２次元アレイ状に配置されているが、本発明はこれに限定されるものでなく、行数及び列数はいずれも任意にすることができる。
【００６７】
更に、ホログラムセルは多重記録されているが、本発明は多重記録でない場合にも適用される。この場合、前記アクチュエータあるいはシフト用アクチュエータは不要である。
【図面の簡単な説明】
【００６８】
【図１】本発明の実施例１に係るホログラフィックメモリ再生システムを模式的に示す断面図
【図２】同平面図
【図３】同実施例１における記録媒体を示す斜視図
【図４】同記録媒体の変形例を示す断面図
【図５】実施例１における角度多重記録されたホログラムセルを再生用参照光で照射する過程を示す光学系統図
【図６】本発明の実施例２に係るホログラフィックメモリ再生システムを模式的に示す断面図
【図７】本発明の実施例３に係るホログラフィックメモリ再生システムを模式的に示す断面図
【図８】本発明の実施例４に係るホログラフィックメモリ再生システムを模式的に示す断面図
【符号の説明】
【００６９】
１０、４０、５０、６０…ホログラフィックメモリ再生システム
１２、１３、５２、６２…記録媒体
１４…レンズアレイ
１６、４２…再生用参照光発生装置
１７、４６、７４…レーザダイオードアレイ
１８…制御装置
２０、７０…撮像素子アレイ
２２、７２…結像レンズアレイ
２３、７３…結像レンズ
２４、５３、６３…ホログラムセル
２５…記録層
３０、６５…コリメートレンズ
３２、４７、７５…レーザダイオード
３４、７１…撮像素子
３６、４９…アクチュエータ
４４…マイクロミーアレイ
４５…マイクロミラー
４８…ミラー制御装置
５４…リレーレンズアレイ
５６…対物レンズアレイ
５８…シフト多重用アクチュエータ
【図１】
2005265976.tif 000003
【図２】
2005265976.tif 000004
【図３】
2005265976.tif 000005
【図４】
2005265976.tif 000006
【図５】
2005265976.tif 000007
【図６】
2005265976.tif 000008
【図７】
2005265976.tif 000009
【図８】
2005265976.tif 000010